(57)【特許請求の範囲】
【請求項１】
被取付部に取り付けられるアームと、
下方に開口し、内側の上面が段状である器具本体と、
前記器具本体の内部に収容される複数のＬＥＤ発光部と、
前記器具本体の開口部を覆う透光性のパネルと、
を備え、
前記器具本体の前記アームに近い側の端部と前記アームから遠い側の端部とを結ぶ線分に沿う方向を器具本体の長手方向とし、前記器具本体の長手方向に直交する方向を器具本体の短手方向とする場合に、前記器具本体の、段状である内側の上面は、前記器具本体の短手方向に沿って延在する第１の平坦面と、前記第１の平坦面よりも前記アームの近くに、かつ前記第１の平坦面よりも下側に位置すると共に、前記器具本体の短手方向に沿って延在する第２の平坦面と、前記第１の平坦面と前記第２の平坦面とを所定高さの段差を有して連結する連結面と、を含み、
前記複数のＬＥＤ発光部は、
前記器具本体の前記第１の平坦面に取り付けられる第１の放熱部材と、前記第１の放熱部材上に固定されると共に、前記器具本体の短手方向に沿って一列に配置される複数のＬＥＤパッケージからなる第１のＬＥＤパッケージ列と、前記第１のＬＥＤパッケージ列における各ＬＥＤパッケージ毎に設けられる複数の第１のレンズと、前記第１のＬＥＤパッケージ列の各ＬＥＤパッケージよりも前記アームに近い位置において前記器具本体の短手方向に沿って、前記器具本体の内側の上面の側から下方に向けて立設され、かつ前記第１のＬＥＤパッケージ列の各ＬＥＤパッケージからの光を反射する一つの反射面を備える第１の反射部材と、
前記器具本体の前記第２の平坦面に取り付けられる第２の放熱部材と、前記第２の放熱部材上に固定されると共に、前記器具本体の短手方向に沿って一列に配置される複数のＬＥＤパッケージからなる第２のＬＥＤパッケージ列と、前記第２のＬＥＤパッケージ列における各ＬＥＤパッケージ毎に設けられる複数の第２のレンズと、前記第２のＬＥＤパッケージ列の各ＬＥＤパッケージよりも前記アームに近い位置において前記器具本体の短手方向に沿って、前記器具本体の内側の上面の側から下方に向けて立設され、かつ前記第２のＬＥＤパッケージ列の各ＬＥＤパッケージからの光を反射する一つの反射面を備える第２の反射部材と、
を含み、
前記第１、第２の反射部材の各々における前記一つの反射面で反射されて配光が制御された光は、前記透光性のパネルを介して、前記アームから遠ざかるように斜め下方に出射され、かつ、前記第２のＬＥＤパッケージ列の各ＬＥＤパッケージから前記第１の反射部材の側に出射される光の一部が、前記第１の反射部材における前記一つの反射面とは反対側の面によって遮光されるＬＥＤ照明器具。
【請求項２】
請求項１に記載のＬＥＤ照明器具において、
前記複数の第１のレンズおよび前記複数の第２のレンズの各々は、前記透光性のパネル側から見た平面視で、前記器具本体の長手方向に沿う長軸および前記器具本体の短手方向に沿う短軸を有する長円形の形状を有するＬＥＤ照明器具。
【請求項３】
請求項１または請求項２に記載のＬＥＤ照明器具において、
前記第１、第２の反射部材の前記反射面は放物面であるＬＥＤ照明器具。
【請求項４】
請求項１ないし請求項３のうちのいずれか１項に記載のＬＥＤ照明器具において、
前記器具本体の内部に点灯回路が設けられ、前記第１、第２のＬＥＤパッケージ列、前記第１、第２の反射部材、および前記点灯回路を含めた前記器具本体の重心が、前記器具本体の、前記器具本体の長手方向における中央よりも前記アームの側に位置するＬＥＤ照明器具。
【発明の詳細な説明】
【技術分野】
【０００１】
本発明は、壁面や柱に設置されるスポットライト等に適用されるＬＥＤ照明器具に関する。
【背景技術】
【０００２】
従来より、取付板の右側に支持された複数の光源と、光源のＬＥＤの配列方向に略直交する方向に稜線が連続するようにプリズムを形成した制光体と、を器具本体に組み込んだ右側用防犯灯を備えるＬＥＤ照明器具が知られている（例えば、特許文献１参照）。
【先行技術文献】
【特許文献】
【０００３】
【特許文献１】特開２００９−１５２１７０号公報（図９、段落００８４）
【発明の概要】
【発明が解決しようとする課題】
【０００４】
特許文献１は、曲がり角やカーブや行き止まり等の道路で効率のよい照明をでき、漏れ光を最小限にできる。
一般に、片側配光が要求されるＬＥＤ照明器具においては、照射エリアに対し、照射エリアを有効に使用するために、照射エリアの端に設置される。
この場合、光効率と照射エリア外への光害とを考慮して、一方向にのみの照射が要求される。
【０００５】
ところで、このような片側配光を行うＬＥＤ照明器具として、光源であるＬＥＤを照射方向へ傾斜させたものが提案されている。
図６に示すように、このような従来のＬＥＤ照明器具１００は、正面方向Ａ１０に対して直交する取付面１０１を有する。
そして、このような従来のＬＥＤ照明器具１００は、取付面１０１に、傾斜した取付板１０２が取り付けられており、取付板１０２に、ＬＥＤ１０３を実装した基板１０４が取り付けられているために、ＬＥＤ１０３の光軸Ｂ１０が正面方向Ａ１０に対して外方を向く。
【０００６】
ところが、このような従来のＬＥＤ照明器具１００は、正面方向Ａ１０に対する光軸Ｂ１０の角度を大きくすると、ＬＥＤ１０３を含む基板１０４の傾斜角度が大きくなるために、放熱構造を取り難くなる。
従って、このような従来のＬＥＤ照明器具１００は、広範囲を照射するために前方へ光軸Ｂ１０を取るとスポット的な配光となり、例えば、駐車場等の照明を行う際に、むらが生じやすい。
【０００７】
一方、このような片側配光を行うＬＥＤ照明器具として、レンズにより照射方向を可変させたものが提案されている。
しかし、このような従来のＬＥＤ照明器具は、発光面の大きなＬＥＤを光源とする高出力なＬＥＤを適用する場合に、ＬＥＤに対応して高効率な光制御のためのレンズが大型化する。
従って、このような従来のＬＥＤ照明器具は、全体として大型化してしまい、コンパクト化できない。
【０００８】
本発明は、前述した課題を解決するためになされたものであり、その目的は、照射面のむらを低減できるとともに小型化でき、グレア等の光害を効果的に抑制できるＬＥＤ照明器具を提供することにある。
【課題を解決するための手段】
【０００９】
本発明に係るＬＥＤ照明器具は、被取付部に取り付けられるアームと、下方に開口し、内側の上面が段状である器具本体と、前記器具本体の内部に収容される複数のＬＥＤ発光部と、前記器具本体の開口部を覆う透光性のパネルと、を備え、前記器具本体の前記アームに近い側の端部と前記アームから遠い側の端部とを結ぶ線分に沿う方向を器具本体の長手方向とし、前記器具本体の長手方向に直交する方向を器具本体の短手方向とする場合に、前記器具本体の、段状である内側の上面は、前記器具本体の短手方向に沿って延在する第１の平坦面と、前記第１の平坦面よりも前記アームの近くに、かつ前記第１の平坦面よりも下側に位置すると共に、前記器具本体の短手方向に沿って延在する第２の平坦面と、前記第１の平坦面と前記第２の平坦面とを所定高さの段差を有して連結する連結面と、を含み、前記複数のＬＥＤ発光部は、前記器具本体の前記第１の平坦面に取り付けられる第１の放熱部材と、前記第１の放熱部材上に固定されると共に、前記器具本体の短手方向に沿って一列に配置される複数のＬＥＤパッケージからなる第１のＬＥＤパッケージ列と、前記第１のＬＥＤパッケージ列における各ＬＥＤパッケージ毎に設けられる複数の第１のレンズと、前記第１のＬＥＤパッケージ列の各ＬＥＤパッケージよりも前記アームに近い位置において前記器具本体の短手方向に沿って、前記器具本体の内側の上面の側から下方に向けて立設され、かつ前記第１のＬＥＤパッケージ列の各ＬＥＤパッケージからの光を反射する一つの反射面を備える第１の反射部材と、前記器具本体の前記第２の平坦面に取り付けられる第２の放熱部材と、前記第２の放熱部材上に固定されると共に、前記器具本体の短手方向に沿って一列に配置される複数のＬＥＤパッケージからなる第２のＬＥＤパッケージ列と、前記第２のＬＥＤパッケージ列における各ＬＥＤパッケージ毎に設けられる複数の第２のレンズと、前記第２のＬＥＤパッケージ列の各ＬＥＤパッケージよりも前記アームに近い位置において前記器具本体の短手方向に沿って、前記器具本体の内側の上面の側から下方に向けて立設され、かつ前記第２のＬＥＤパッケージ列の各ＬＥＤパッケージからの光を反射する一つの反射面を備える第２の反射部材と、を含み、前記第１、第２の反射部材の各々における前記一つの反射面で反射されて配光が制御された光は、前記透光性のパネルを介して、前記アームから遠ざかるように斜め下方に出射され、かつ、前記第２のＬＥＤパッケージ列の各ＬＥＤパッケージから前記第１の反射部材の側に出射される光の一部が、前記第１の反射部材における前記一つの反射面とは反対側の面によって遮光される。
【００１０】
本発明に係るＬＥＤ照明器具は、前記複数の第１のレンズおよび前記複数の第２のレンズの各々は、前記透光性のパネル側から見た平面視で、前記器具本体の長手方向に沿う長軸および前記器具本体の短手方向に沿う短軸を有する長円形の形状を有する。
【００１２】
本発明に係るＬＥＤ照明器具は、前記第１、第２の反射部材の前記反射面は放物面である。
【００１３】
本発明に係るＬＥＤ照明器具は、前記器具本体の内部に点灯回路が設けられ、前記第１、第２のＬＥＤパッケージ列、前記第１、第２の反射部材、および前記点灯回路を含めた前記器具本体の重心が、前記器具本体の、前記器具本体の長手方向における中央よりも前記アームの側に位置する。
【発明の効果】
【００１４】
本発明に係るＬＥＤ照明器具によれば、照射面のむらを低減できるとともに小型化でき、グレア等の光害を抑制できるという効果を奏する。
【図面の簡単な説明】
【００１５】
【図１】本発明に係る第１実施形態のＬＥＤ照明器具の斜め下方から視た一部破断外観斜視図
【図２】本発明に係る第１実施形態のＬＥＤ照明器具の長手方向の垂直断面図
【図３】本発明に係る第１実施形態のＬＥＤ照明器具の底面図
【図４】本発明に係る第１実施形態のＬＥＤ照明器具のＬＥＤ発光部周りの垂直断面図
【図５】本発明に係る第２実施形態のＬＥＤ照明器具の斜め下方から視た一部破断外観斜視図
【図６】従来のＬＥＤ照明器具の垂直断面図
【発明を実施するための形態】
【００１６】
以下、本発明に係る複数の実施形態のＬＥＤ照明器具について図面を参照して説明する。
（第１実施形態）
図１に示すように、本発明に係る第１実施形態のＬＥＤ照明器具１０は、器具本体１１と、器具本体１１に収容される複数のＬＥＤパッケージ１２を有するＬＥＤ発光部１３と、器具本体１１の下方開口部１４を覆う透光性のパネル１５と、を備える。
器具本体１１は、アルミニウムダイカスト製であって、回動機構１６を介してアーム１７に連結されているために、アーム１７が柱の上部や壁面等の不図示の設置部に取り付けられることにより、照射方向を変更可能である。
【００１７】
ＬＥＤ発光部１３は、器具本体１１の中心に対してアーム１７の反対側に取り付けられている。ＬＥＤ発光部１３は、器具本体１１の短手方向に並べられた複数のＬＥＤパッケージ１２を、器具本体１１の長手方向に二列に配列している。
なお、ＬＥＤ発光部１３は、複数のＬＥＤパッケージ１２を器具本体１１の長手方向に二列に配列するのに限定されず、二列以上の複数列を配列してもよい。
【００１８】
ＬＥＤ発光部１３は、各ＬＥＤパッケージ１２のアーム１７側に単一の反射部材１８が取り付けられており、ＬＥＤパッケージ１２にレンズ１９が被着されている。
反射部材１８は、器具本体１１の長手方向に直交する短手方向においてＬＥＤパッケージ１２のアーム１７側に取り付けられている。
反射部材１８は、器具本体１１の短手方向に並べられた複数のＬＥＤパッケージ１２に対して１個配置されている。
従って、反射部材を複数のＬＥＤ発光部にそれぞれ独立して取り付けた場合と比べて、部品点数を減少でき、各ＬＥＤパッケージ１２の光軸方向の調整を一度で行えるために、各ＬＥＤパッケージ１２の配光のばらつきを防止できる。
【００１９】
図２に示すように、器具本体１１は、基端部側であるアーム１７側に点灯回路２０が収容されている。点灯回路２０は、外部の制御回路に電気的に接続される。
レンズ１９は、透光性を有するアクリル樹脂材料で成形されており、各ＬＥＤパッケージ１２に１個取り付けられている。
反射部材１８は、ＬＥＤパッケージ１２の発光面中心を焦点位置とした放物線を傾けた形状の鏡面の反射面２１を有する。反射部材１８は、板金部材を折曲することにより成形されている。
なお、反射部材１８は、板金部材を折曲成形するのに代えて、樹脂材料を用いて成形することもできる。また、反射面２１は、鏡面に代えて、白色塗装であってもよい。さらに、反射面２１は、拡散処理が施された表面を有するものであってもよい。
【００２０】
ＬＥＤ照明器具１０は、器具本体１１に取り付けられた放熱部材２２を備えており、この放熱部材２２に、ＬＥＤ２３が封止されたＬＥＤ基板２４と、レンズ１９とが取り付けられている。
放熱部材２２は、高い放熱特性を有するアルミニウムを素材としており、器具本体１１に熱的に接続されている。
【００２１】
図３に示すように、レンズ１９は、平面視において器具本体１１の長手方向に長辺部２５を有するとともに、器具本体１１の短手方向に短辺部２６を有する平面視長円形に形成されている。
すなわち、レンズ１９は、長辺部２５の中心線Ｃ１の延長線が反射部材１８の反射面２１に直交して配置されるとともに、短辺部２６の中心線Ｃ２が反射面２１に平行に配置される。
【００２２】
次に、ＬＥＤ照明器具１０のＬＥＤ発光部１３の詳細構造およびＬＥＤ照明器具１０の光学的な特性について説明する。
図４に示すように、ＬＥＤ基板２４は、ねじ２７が放熱部材２２にねじ込まれることにより、放熱部材２２に熱的に接続されて固定されている。
ＬＥＤ基板２４は、不図示のプリント回路を有し、このプリント回路が点灯回路２０に電気的に接続されている。
反射部材１８は、ＬＥＤ基板２４と同様にして、放熱部材２２に熱的に接続されて固定されている。
従って、ＬＥＤ基板２４および反射部材１８が発熱した際の熱を、放熱部材２２により効率よく放熱できるので、ＬＥＤ２３の寿命を延長でき、光効率を向上できる。
【００２３】
レンズ１９は、ＬＥＤ２３に非接触に配置される入射部２８を内面に有し、入射部２８に対面する出射部２９を外面に有して、ねじ３０が放熱部材２２にねじ込まれることにより固定されている。
レンズ１９は、ＬＥＤ２３からの出射光のうち、反射部材１８の反射面２１に向けて進行されない狭い配光を有する主光軸方向の光成分α１を生成する。
【００２４】
ここで、反射部材１８は、反射面２１がＬＥＤ基板２４の法線に対してあらかじめ定められた湾曲率を有するために、ＬＥＤ２３からの出射光のうち、反射面２１に向けて進行された光成分を所定の方向に制御して反射させる。
そして、反射部材１８は、反射面２１により、横広がりの配光を有する主光軸方向の光成分α２を生成して、光成分α２を光成分α１に合成させる。
従って、レンズ１９および反射部材１８の組み合わせにより、狭い配光を有する光成分α１および横広がりの配光を有する光成分α２を合成することにより、主光軸の光度を増加できる。
【００２５】
以上、説明した本発明に係る第１実施形態のＬＥＤ照明器具１０によれば、狭い配光を有する光成分α１および横広がりの配光を有する光成分α２を合成することにより、照射面のむらを低減でき、グレア等の光害を効果的に抑制できる。
また、ＬＥＤ照明器具１０によれば、従来のもののように、レンズにより照射方向を可変しないので、小型化できる。
【００２６】
そして、ＬＥＤ照明器具１０によれば、レンズ１９が、反射部材１８により反射されて生成される横広がりであって反射部材１８に向けて進行されない狭い配光を有する光成分α１に合成される光成分α２を生成できる。
【００２７】
さらに、ＬＥＤ照明器具１０によれば、部品点数を減少でき、各ＬＥＤパッケージ１２の光軸方向の調整を一度で行えるために、各ＬＥＤパッケージ１２の配光のばらつきを防止できる。
【００２８】
加えて、ＬＥＤ照明器具１０によれば、反射部材１８での反射に伴い、光成分α１に合成される横広がりの配光を有する主光軸方向の光成分α２を生成できる。
【００２９】
（第２実施形態）
次に、本発明に係る第２実施形態のＬＥＤ照明器具について説明する。
なお、以下の第２実施形態において、前述した第１実施形態と重複する構成要素や機能的に同様な構成要素については、図中に同一符号あるいは相当符号を付することによって説明を簡略化あるいは省略する。
【００３０】
図５に示すように、本発明に係る第２実施形態のＬＥＤ照明器具４０は、器具本体１１の中心に対してアーム１７側に複数のＬＥＤパッケージ１２を有するＬＥＤ発光部１３および反射部材１８が取り付けられている。
そして、ＬＥＤ照明器具４０は、ＬＥＤ発光部１３の上部に点灯回路２０が収容されている。
そのため、重量物である点灯回路２０、ＬＥＤ発光部１３、および、反射部材１８の重心位置が器具本体１１においてアーム１７側に偏って取り付けられる。
従って、器具本体１１のアーム１７とは反対側に重量物が配置された場合と比べて重量面で安定化できる。
【００３１】
ＬＥＤ照明器具４０によれば、重量物であるＬＥＤ発光部１３および反射部材１８の重心位置が器具本体１１においてアーム１７側に偏って取り付けられているために、重量面で安定化できる。
【００３２】
なお、本発明のＬＥＤ照明器具において器具本体、点灯回路、パネル、回動機構、アーム等は、前述した各実施形態に限定されるものでなく、適宜な変形や改良等が可能である。
【符号の説明】
【００３３】
１０，４０  ＬＥＤ照明器具
１１  器具本体
１３  ＬＥＤ発光部
１８  反射部材
１９  レンズ
２２  放熱部材
２３  ＬＥＤ
２４  ＬＥＤ基板
２５  長辺部
２６  短辺部
【図１】
0005971542.tif 000002
【図２】
0005971542.tif 000003
【図３】
0005971542.tif 000004
【図４】
0005971542.tif 000005
【図５】
0005971542.tif 000006
【図６】
0005971542.tif 000007